(57)【要約】【課題】  無線接続要求の送信後に通信相手となる基地局が不在となった場合等でも、移動通信端末がデッドロック状態となることを防止する。【解決手段】  移動通信端末１０は、基地局への無線接続要求に係る処理を行う端末であって、無線接続要求を前記基地局に送信してからの時間を測定する終了タイマ１５と、無線接続要求を送信してからの時間が所定の時間となったことが終了タイマ１５により測定されると共に当該無線接続要求により無線接続が確立されていない場合に当該無線接続要求に係る処理を終了させる制御を行う制御部１６と、を備える。【選択図】  図１
2007201545.tif 000002
【特許請求の範囲】
【請求項１】
基地局への無線接続要求に係る処理を行う移動通信端末であって、
前記無線接続要求を前記基地局に送信してからの時間を測定する測定手段と、
前記無線接続要求を送信してからの時間が所定の時間となったことが前記測定手段により測定されると共に当該無線接続要求により無線接続が確立されていない場合に当該無線接続要求に係る処理を終了させる制御を行う制御手段と、
を備える移動通信端末。
【請求項２】
基地局への無線接続要求に係る処理を行う移動通信端末における端末制御方法であって、
前記無線接続要求を前記基地局に送信してからの時間を測定する測定ステップと、
前記無線接続要求を送信してからの時間が所定の時間となったことが前記測定ステップにおいて測定されると共に当該無線接続要求により無線接続が確立されていない場合に当該無線接続要求に係る処理を終了させる制御を行う制御ステップと、
を含む端末制御方法。
【発明の詳細な説明】
【技術分野】
【０００１】
本発明は、移動通信端末、及び当該移動通信端末における端末制御方法に関する。
【背景技術】
【０００２】
移動体通信網において、移動通信端末と基地局との間で無線接続が確立される際には次のような処理が行われる。移動通信端末は、基地局へ無線接続要求（RRC CONNECTION REQUEST）を送信して、当該無線接続要求に応じて基地局から送信される応答（RRC CONNECTION SETUP）を受信する。その後、移動通信端末がその応答に対して接続完了通知（RRC CONNECTION SETUP COMPLETE）を基地局へ送信することにより、無線接続が確立される。通常、基地局からの応答が無かった場合、複数回の無線接続要求の再送がなされる。
【０００３】
また、移動通信端末は、通信相手の基地局からの電波の強度（受信レベル）の劣化を検出すると、別の基地局からの電波の強度等に基づいていずれの基地局との通信を行うか判断して、通信相手の基地局の切り替え、即ちセル移行（CELL RESELECTION）を行う（例えば、下記の特許文献１参照）。
【特許文献１】特開２００４−１５９３０４号公報
【発明の開示】
【発明が解決しようとする課題】
【０００４】
しかしながら、移動通信端末が無線接続要求を送信した後、通信相手の基地局からの電波の強度が、無線通信が不能となる程度に劣化して、なおかつセル移行先が検出されない場合、通信相手となる基地局が不在となるため、その移動通信端末は無線接続要求の再送ができない。通常、移動通信端末では、このような場合の動作が規定されておらず、無線接続要求の送信も無線接続要求の処理の終了もできない、いわゆるデッドロック状態となる。
【０００５】
本発明は、以上の問題点を解決するためになされたものであり、無線接続要求の送信後に通信相手となる基地局が不在となった場合等でもデッドロック状態となることを防止することができる移動通信端末及び端末制御方法を提供することを目的とする。
【課題を解決するための手段】
【０００６】
上記目的を達成するために、本発明に係る移動通信端末は、基地局への無線接続要求に係る処理を行う移動通信端末であって、無線接続要求を基地局に送信してからの時間を測定する測定手段と、無線接続要求を送信してからの時間が所定の時間となったことが測定手段により測定されると共に当該無線接続要求により無線接続が確立されていない場合に当該無線接続要求に係る処理を終了させる制御を行う制御手段と、を備えることを特徴とする。
【０００７】
本発明に係る移動通信端末では、無線接続要求を送信した後、無線接続が確立されずに所定の時間が経過すると、当該無線接続要求に係る処理が終了される。従って、本発明に係る移動通信端末によれば、無線接続要求の送信後に通信相手となる基地局が不在となった場合等でもデッドロック状態となることを防止することができる。
【０００８】
ところで、本発明は、上記のように移動通信端末の発明として記述できる他に、以下のように当該移動通信端末における端末制御方法の発明としても記述することができる。これはカテゴリが異なるだけで、実質的に同一の発明であり、同様の作用及び効果を奏する。
【０００９】
即ち、本発明に係る端末制御方法は、基地局への無線接続要求に係る処理を行う移動通信端末における端末制御方法であって、無線接続要求を前記基地局に送信してからの時間を測定する測定ステップと、無線接続要求を送信してからの時間が所定の時間となったことが前記測定ステップにおいて測定されると共に当該無線接続要求により無線接続が確立されていない場合に当該無線接続要求に係る処理を終了させる制御を行う制御ステップと、を含むことを特徴とする。
【発明の効果】
【００１０】
本発明では、無線接続要求を送信した後、無線接続が確立されずに所定の時間が経過すると、当該無線接続要求に係る処理が終了される。従って、本発明によれば、無線接続要求の送信後に通信相手となる基地局が不在となった場合等でもデッドロック状態となることを防止することができる。
【発明を実施するための最良の形態】
【００１１】
以下、図面とともに本発明に係る移動通信端末及び端末制御方法の好適な実施形態について詳細に説明する。なお、図面の説明においては同一要素には同一符号を付し、重複する説明を省略する。
【００１２】
図１に本実施形態に係る移動通信端末１０の構成を示す。本実施形態では、移動通信端末１０は、移動体通信を行うことができる携帯電話機である。移動通信端末１０は、具体的には、ＣＰＵ（Central Processing Unit）、メモリ、及びアンテナなどの移動体通信用モジュール等のハードウェアにより構成されており、それらが動作することにより、以下に説明する移動通信端末１０の各機能が発揮される。図１に示すように、移動通信端末１０は、送受信部１１と、携帯電話機能部１２と、移動通信機能部１３と、記憶部１４と、終了タイマ１５と、制御部１６を備える。
【００１３】
送受信部１１は、アンテナに接続されており、移動体通信用の電波を送受信する手段である。送受信部１１は、通信データと電波との間の変換等も行う。
【００１４】
携帯電話機能部１２は、送受信部１１に接続されており、携帯電話機としての機能を担う手段である。例えば、マイクやスピーカ等のハードウェアに接続されており、ユーザから入力された音声を通信データに変換して送受信部１１に送信したり、送受信部１１から通信データを受信して音声に変換して出力したりする。
【００１５】
移動通信機能部１３は、送受信部１１と携帯電話機能部１２と記憶部１４とに接続されており、移動通信端末１０の移動体通信の機能を実行する手段である。移動通信端末１０において、移動通信機能部１３により制御される移動体通信の機能として、無線接続の確立と、セル移行とがある。
【００１６】
無線接続の確立は、例えば、通話を行うための発呼の際やデータ通信の開始の際に行われ、次のように行われる。図２に示すように、まず、移動通信機能部１３が送受信部１１を介して、移動体通信網を構成する基地局２０（基地局２０ａ，２０ｂの総称）に、無線接続要求（RRC CONNECTION REQUEST）３１を送信する。当該無線接続要求３１を受信した基地局２０は、移動通信端末１０からの無線接続が可能な場合は、移動通信端末１０に対して、当該無線接続要求３１に応じた応答（RRC CONNECTION SETUP）３２を送信する。移動通信端末１０では、移動通信機能部１３が送受信部１１を介して、当該応答３２を受信して応答３２に対して接続完了通知（RRC CONNECTION SETUP COMPLETE）（図示せず）を基地局２０へ送信して、無線接続が確立される。移動通信機能部１３は、無線接続要求を基地局２０に送信すると、その旨を終了タイマ１５に通知する。また、移動通信機能部１３は、無線接続が確立されると、その旨を終了タイマ１５に通知する。
【００１７】
移動通信機能部１３は、基地局２０からの応答が無かった場合、無線接続要求の再送を行う。無線接続要求の再送は、移動通信機能部１３が、再送タイマ（３ＧＰＰ（3rd Generation Partnership Project）におけるＴ３００）により無線接続要求を送信（再送を含む）してからの時間を計測して、満了値（３ＧＰＰにおけるＶ３００）に達したら再送を行う、というように行われる。満了値は、例えば、２〜３秒程度の時間が設定される。無線接続要求の再送の回数の情報は、記憶部１４により記憶されており、移動通信機能部１３は無線接続要求の再送を行う際にその情報を参照する。無線接続要求の再送の回数は、予め設定されていてもよいし、移動通信端末１０が受信する、基地局２０からの報知情報に含まれる設定情報に基づいて適宜設定されてもよい。再送の回数としては、例えば、５回程度の回数が設定される。このように、移動通信機能部１３は、基地局２０への無線接続要求に係る一連の処理を行う手段である。
【００１８】
セル移行は、移動通信端末１０が通信相手とする基地局２０を変更することである。セル移行が行われるか否かは、移動通信機能部１３が、移動通信端末１０が受信する、基地局２０からの報知情報の電波の強度（受信レベル）に基づいて判断する。この判断は、記憶部１４に格納されているセル移行判定閾値が用いられる。例えば移行先のセル２１（基地局２０）の電波の強度が、移行元のセル２１（基地局２０）の電波の強度よりも強く、且つセル移行判定閾値を超えている場合に、セル移行を行うと判断される。図２に示すように、セル移行は、例えば、移動通信端末１０（を携帯したユーザ）が、基地局２０ａのセル２１ａから、基地局２０ｂのセル２１ｂに移動して、基地局２０ｂからの電波の強度が基地局２０ａからのものよりも強くなるときに行われる。
【００１９】
在圏中のセル２１の電波の強度が、無線通信が不能な程度に弱くなり、また移動通信端末１０がセル移行先のセル２１を検出できない場合（在圏中以外のセル２１の電波を受信できない場合）、移動通信端末１０は、基地局２０との間の情報の送受信を行うことができない状態になる。無線接続要求を送信した後にこの状態になると、移動通信端末１０は、無線接続要求の再送ができない状態になる。その場合、移動通信機能部１３は基地局２０からの応答待ちの状態となり、無線接続要求に係る処理が継続中の状態となる。この状態では、移動通信機能部１３は、この処理に送受信部１１の無線リソースを割り当てているので、別の処理が不能になり、移動通信端末１０は、いわゆるデッドロック状態となる。
【００２０】
記憶部１４は、移動通信機能部１３による制御に必要な情報を記憶しておく記憶手段である。具体的には、例えば、無線接続要求の再送の回数、再送タイマの満了値、及びセル移行の判定閾値等の情報である。これらの情報は、必要に応じて移動通信機能部１３により参照される。また、それ以外にも記憶部１４は、終了タイマ１５の満了値の情報を記憶している。終了タイマ１５の満了値の情報は、終了タイマ１５により参照される。
【００２１】
終了タイマ１５は、移動通信機能部１３が無線接続要求を基地局２０に送信してからの時間を測定する測定手段である。測定の開始は、移動通信機能部１３からの無線接続要求を送信した旨の通知をトリガとして行われる。終了タイマ１５は、記憶部１４に記憶された終了タイマ１５の満了値の情報を参照して、無線接続要求を送信してからの時間が満了値に達したら、その旨を制御部１６に通知する。終了タイマ１５の満了値は、無線接続要求を送信してから無線接続要求に係る処理を終了させる制御を行うまでの所定の時間であり、予め、あるいは適宜設定される。具体的には、終了タイマ１５の満了値は、移動通信端末１０のユーザの利便性を考慮して、１０秒程度に設定されることが好ましい。また、終了タイマ１５は、移動通信機能部１３から無線接続が確立された旨の通知を受けると、時間の計測を中止する。無線接続が確立された場合は、無線接続要求に係る処理を終了させる制御を行う必要が無いためである。
【００２２】
制御部１６は、無線接続要求を送信してからの時間が終了タイマ１５の満了値となると共に当該無線接続要求により無線接続が確立されていない場合に、当該無線接続要求に係る処理を終了させる制御を行う制御手段である。無線接続が確立されておらず、無線接続要求を送信してからの時間が終了タイマ１５の満了値となったことは、終了タイマ１５から通知される。この通知を受けたことをトリガとして、制御部１６は、移動通信機能部１３に対して無線接続要求に係る処理を終了させる。具体的には、制御部１６は、移動通信機能部１３に対して、無線リソースを開放させ、基地局２０からの応答待ちの状態を終了させる制御を行う。
【００２３】
引き続いて、図３のシーケンス図を用いて、本実施形態の移動通信端末１０で実行される処理（端末制御方法）を説明する。この処理は例えば、（１）移動通信端末１０が在圏しているセル２１の電波強度が低レベルで、かつ（２）移動通信端末１０が他のセル２１の電波も受信することができない位置や状況にある場合に行われる。
【００２４】
まず、移動通信端末１０では、移動通信機能部１３が、送受信部１１を介して、無線接続要求を基地局２０ａに送信する（Ｓ０１）。この無線接続要求の送信は、ユーザの操作により通話を行うための発呼やデータ通信の開始がなされることをトリガとして行われる。移動通信機能部１３は、無線接続要求を送信した後、再送タイマにより無線接続要求を送信してからの時間を計測し始める。また、移動通信機能部１３は、無線接続要求を送信した旨を終了タイマ１５に通知する。移動通信機能部１３から上記の通知を受けた終了タイマ１５は、無線接続要求を送信してからの時間を測定し始める（Ｓ０２、測定ステップ）。
【００２５】
続いて、通信相手である基地局２０からの電波の強度（受信レベル）が、無線通信が不能な程度に劣化すると、移動通信端末１０では、移動通信機能部１３がその受信レベルの劣化を検出して当該基地局２０との無線通信が不能な状態となる（Ｓ０３）。この状態になると、移動通信端末１０は、無線接続要求を送信した基地局２０からの応答を受信できなくなる。
【００２６】
続いて、移動通信端末１０では、移動通信機能部１３が送受信部１１を介して、セル移行先のセル２１を検出するために、バンドサーチを行う。しかしながら、上述したように、移動通信端末１０は、他のセル２１の電波も受信することができないので、セル移行先のセル２１を検出することができない（Ｓ０４）。ここで、移動通信端末１０は、何れの基地局２０とも無線通信が不能な状態となる。ここで、上記の再送タイマが満了値になったとしても、無線接続要求の再送先の基地局２０が不在になるので、移動通信端末１０は無線接続要求の再送を行うことができない。
【００２７】
無線接続要求を送信してから終了タイマ１５の満了値の時間が経過すると、終了タイマ１５は、その旨を制御部１６に通知する（Ｓ０５、測定ステップ、制御ステップ）。制御部１６は、その通知を受けると、移動通信機能部１３に対して当該無線接続要求に係る処理を終了させる制御を行う（Ｓ０６、制御ステップ）。その制御を受けた移動通信機能部１３は、当該無線接続要求に係る処理を終了させる。無線接続要求に係る処理が終了したことにより、移動通信端末１０では、別の処理を行うことができる状態になる。
【００２８】
なお、無線接続要求を送信してから終了タイマ１５の満了値の時間までに、移動通信端末１０が基地局２０から無線接続要求に対する応答を受信した場合は、終了タイマ１５は時間の計測を中止するので、制御部１６への通知は行われず、制御部１６による無線接続要求に係る処理の終了の制御は行われない。
【００２９】
上述したように、本実施形態によれば、無線接続要求の送信後に通信相手となる基地局２０が不在となった場合等でも、移動通信端末１０がデッドロック状態となることを防止することができ、別の処理を行うことができる。
【００３０】
なお、本実施形態では、終了タイマ１５は、無線接続要求の（最初の）送信からの時間を計測しているが、無線接続要求の再送が行われたときは再送からの時間を計測して、その時間が満了値になったときに無線接続要求に係る処理を終了させる制御をすることとしてもよい。
【００３１】
また、本実施形態は、移動通信端末１０は、携帯電話機としたが、それ以外でも移動体通信を行うことができる端末、例えば、移動体通信機能を備えたＰＣ（Personal Computer）やＰＤＡ（Personal Digital Assistance）でもよい。
【図面の簡単な説明】
【００３２】
【図１】本発明の実施形態における移動通信端末の構成を示す図である。
【図２】移動通信端末の機能の概要を示す図である。
【図３】本発明の実施形態における移動通信端末で実行される処理（端末制御方法）を示すシーケンス図である。
【符号の説明】
【００３３】
１０…移動通信端末、１１…送受信部、１２…携帯電話機能部、１３…移動通信機能部、１４…記憶部、１５…終了タイマ、１６…制御部、２０…基地局、２１…セル。
【図１】
2007201545.tif 000003
【図２】
2007201545.tif 000004
【図３】
2007201545.tif 000005